(57)【要約】【課題】指による押圧によってシール部の注出起点部が破壊されて液状物を注出することができる液状物収容容器を提供すること。【解決手段】開口部１１を備えフランジ部１２が形成された容器本体１０と、開口部１１を覆う蓋材３０とを備え、フランジ部１２には、周状のシール部２０が形成されている液状物収容容器１であって、シール部２０の一部には、容器本体１０への指による押圧によってシール部２０を剥離して液状物を注出可能な注出起点部２１が形成されている液状物収容容器１である。【選択図】図２
2017065742.tif 000002
【特許請求の範囲】
【請求項１】
開口部を備えフランジ部が形成された容器本体と、前記開口部を覆う蓋材とを備え、前記フランジ部には、周状のシール部が形成されている液状物収容容器であって、
前記シール部の一部には、前記容器本体への指による押圧によって前記シール部を剥離して液状物を注出可能な注出起点部が形成されている液状物収容容器。
【請求項２】
前記注出起点部における前記シール部である注出起点シール部のシール強度は、前記注出起点シール部以外の前記シール部のシール強度よりも小さい請求項１に記載の液状物収容容器。
【請求項３】
前記注出起点部以外の前記シール部に連設され、前記注出起点部から注出された前記液状物を液状物収容容器の外部に誘導して注出可能とするガイドシール部が形成されている請求項１又は２に記載の液状物収容容器。
【請求項４】
前記注出起点部の位置を示す注出位置表示部が形成されている請求項１から３のいずれかに記載の液状物収容容器。
【発明の詳細な説明】
【技術分野】
【０００１】
本発明は、開口部を備えフランジ部が形成された容器本体と、開口部を覆う蓋材とを備え、フランジ部には、周状のシール部が形成されている液状物収容容器に関する。
【背景技術】
【０００２】
従来、液状の流動性を有する内容物を、プラスチック製の容器に収容し、フィルムなどからなる蓋で密封した蓋付容器が多く市場に出回っている。このような蓋付容器のうち特に小型のものは、ポーション、ポーション容器やポーションカップなどとも称される。小型の蓋付容器は、ガムシロップ、コーヒーフレッシュ、調味料、濃縮飲料など、様々な液状物を収容するために利用されている。
【０００３】
蓋付容器の一形態として、例えば特許文献１に開示されているように、ポーション容器の底面に外力を加えて容器本体を変形させ、これによって容器本体内部の圧力を上昇させ、このことによりシール部が部分的に分離するよう構成されたタイプのものが知られている。
【０００４】
特許文献１のポーション容器は、希釈用ボトル内に装着して使用されるものであり。特許文献１の図２に示すように、ボルル内に濃縮飲料が収容されたポーション容器をセットし、装置を利用して容器本体の底面を押圧することにより、所望の濃度の飲料を生成することもできる。
【先行技術文献】
【特許文献】
【０００５】
【特許文献１】特開２０１５−９０５１号公報
【発明の概要】
【発明が解決しようとする課題】
【０００６】
ポーション容器は、通常、容器本体のフランジ部の先端部に折り曲げ罫線が付与されており、ここを折り曲げると同時に蓋材を剥離していく構成になっている。このため、両手で開封することが必要である。また、開封の際に内容物がどうしても手についてしまい、衛生的でないという問題を有している。
【０００７】
この点、特許文献１においても、ポーション容器は、希釈用ボトル内に装着して使用されるものであり、片手の指のみで内容物を注出できるポーション容器は存在しないのが実情である。
【０００８】
本発明は、上記の課題に鑑み、片手の指のみで内容物を注出できる液状物収容容器を提供することを目的とする。
【課題を解決するための手段】
【０００９】
本発明者らは、上記課題を解決すべく、鋭意検討を行った結果、シール部を剥離して液状物を注出可能な注出起点部を設けた液状物収容容器であれば上記課題を解決できることを見出し、本発明を完成するに至った。
【００１０】
（１）開口部を備えフランジ部が形成された容器本体と、前記開口部を覆う蓋材とを備え、前記フランジ部には、周状のシール部が形成されている液状物収容容器であって、前記シール部の一部には、容器本体への指による押圧によって前記シール部を剥離して液状物を注出可能な注出起点部が形成されている液状物収容容器。
【００１１】
（２）前記注出起点部における前記シール部である注出起点シール部のシール強度は、前記注出起点シール部以外の前記シール部のシール強度よりも小さい（１）に記載の液状物収容容器。
【００１２】
（３）前記注出起点部以外の前記シール部に連設され、前記注出起点部から注出された前記液状物を液状物収容容器の外部に誘導して注出可能とするガイドシール部が形成されている（１）又は（２）に記載の液状物収容容器。
【００１３】
（４）前記注出起点部の位置を示す注出位置表示部が形成されている（１）から（３）のいずれかに記載の液状物収容容器。
【発明の効果】
【００１４】
本発明の液状物収容容器は、指による押圧によってシール部の注出起点部を剥離することにより液状物を注出することができる。よって、使用者は、片手の指のみであっても液状物収容容器から液状物を注出することができる。
【図面の簡単な説明】
【００１５】
【図１】本発明の一実施形態における液状物収容容器の平面図である。
【図２】本発明の一実施形態における液状物収容容器の斜視図である。
【図３】本発明の一実施形態における液状物収容容器の側面図である。
【図４】本発明の一実施形態における液状物収容容器の底面図である。
【図５】本発明の一実施形態におけるシール部の構成を示す概念図である。
【図６】本発明の他の実施形態におけるシール部の構成を示す概念図である。
【図７】本発明の他の実施形態におけるシール部の構成を示す概念図である。
【図８】本発明の他の実施形態におけるシール部の構成を示す概念図である。
【図９】本発明の他の実施形態におけるシール部の構成を示す概念図である。
【発明を実施するための形態】
【００１６】
以下、本発明の実施形態について、詳細に説明するが、本発明は、以下の実施形態に何ら限定されるものではなく、本発明の目的の範囲内において、適宜変更を加えて実施することができる。
【００１７】
＜液状物収容容器＞
図１から図５に示すように、本実施形態の液状物収容容器１は、容器本体１０と、開口部１１を覆う蓋材３０とを備える、いわゆるポーション容器である。容器本体１０は、開口部１１を備え、フランジ部１２が形成されている。また、フランジ部１２には、周状のシール部２０が形成されている。シール部２０とは、容器本体１０と蓋材３０とが熱、超音波、高周波などのシール手段で、蓋材３０とフランジ部１２とが、周状にシール接合されており、これにより内容物である液状物（図示せず）が密封されている。なお、本発明において、周状のシール部２０とは一周に亘って形成されるシール部を指し、円周形状のものに限らず、多角形状であってもよいし、円周形状と多角形状を組み合わせたものであってもよい。
【００１８】
［容器本体］
容器本体１０は、例えば、射出成形法やシート成形法により成形することができる。容器本体１０を構成する材料としては、ポリスチレンやポリプロピレンやポリエチレンテレフタレートなどのプラスチックを用いることができる。容器本体１０は、底部１４と、底部１４から立設された壁部１３と、壁部１３の上縁に連設されたフランジ部１２とからなり、底部１４と壁部１３とで胴部１５を構成している。フランジ部１２は、壁部１３の上縁から水平に延出する鍔状部である。更に、この実施形態においては、液状物収容容器１の平面視の注出起点部２１の位置に、内側に凹む切欠き２４が形成されている。この切欠き２４は後述する注出位置表示部としての機能も有する。
【００１９】
本発明における容器本体の形状や大きさは、開口部と、その周囲に形成されているフランジ部と備えており、本発明の効果を損なわない範囲内であれば特に限定されない。しかし、本発明は、容器本体及び蓋材への指による押圧によってシール部を剥離して液状物を注出可能な構成であるので、容器本体の胴部１５は指で押した際に押圧で変形する程度の可撓性を備えていることが必要である。この可撓性の観点と、容器本体の剛性維持の観点からは、材質にもよるが、容器本体１０の胴部１５の厚さは、１００μｍ以上５００μｍ以下であることが好ましく、１００μｍ以上３００μｍ以下であることがより好ましい。
【００２０】
なお、容器本体の胴部１５には、胴部１５側からの指による押圧を補助するための凸部又は／及び凹部で構成される押圧補助部が形成されていてもよい（図示せず）。これにより、使用者が押圧補助部を視認し、押圧補助部から指による押圧を加えることができるようになる。
【００２１】
［蓋材］
蓋材３０は、少なくとも、基材層とシーラント層とを備える積層体である。基材層を構成する材料としては、ポリエチレンテレフタレート、ナイロン、ポリプロピレン等のプラスチックや、紙等を用いることができる。また、シーラント層を構成する材料としては、ポリプロピレンや、ポリプロピレンとポリエチレンの混合樹脂等を用いることができる。ポリプロピレンとポリエチレンの混合樹脂は、所謂イージーピールシーラントである。
【００２２】
蓋材３０を構成する積層体には、印刷層が形成されていてもよく、この印刷層の表示によって、後述する注出位置表示部を構成してもよい。また、積層体には、アルミニウム箔などの金属箔や、アルミニウムなどの無機物や酸化珪素や酸化アルミニウムなどの無機酸化物などのバリア層が配置されていてもよい。
【００２３】
［注出起点部と注出起点シール部］
図１に示すように、本実施形態に関するシール部２０の一部、具体的には、フランジ部１２の切欠き２４付近に、注出起点部２１が形成されている。この注出起点部２１は、指による押圧によって液状物収容容器内の圧力が上昇し、シール部２０を剥離して液状物を注出可能とするシール部２０の一部を意味し、この実施形態においては注出起点シール部２１と同義である。注出起点シール部２１によって、指による押圧により、液状物収容容器内の液状物を注出することができる。
【００２４】
より具体的に説明すると、注出起点シール部２１はいわゆる易接着のイージーオープン性を有する弱シール部となっている一方、注出起点シール部２１以外のシール部２３は、いわゆる通常強度のシール部であり、ヒートシール等によって容器本体１０と蓋材３０とが強固に接着する構造となっている。すなわち、注出起点シール部２１のシール強度は、注出起点シール部２１以外のシール部２３のシール強度よりも小さくなっている。このため、液状物収容容器内の圧力を上昇させると、シール部２０のうち、弱シールの注出起点シール部２１が先に剥離しやすくすることができる。これによって、容器本体１０のフランジ部１２と蓋材３０との間に隙間が形成され、液状物収容容器内の液状物を注出することができる。よって、使用者は、片手の指のみであっても液状物を注出することができる。なお、切欠き２４は本発明の液状物収容容器において必須ではないが、切欠き２４を有することで、容器本体１０に圧力を加えたときに、容器本体１０のフランジ部１２と蓋材３０との間に隙間を形成しやすくすることができるため、注出起点部２１から注出した液状物を外部に注出することをより容易にする機能を有する。
【００２５】
それぞれのシール強度は、好ましくは１５ｍｍ幅におけるシール部２３のシール強度が２０Ｎ以上、より好ましくは２０Ｎ以上５０Ｎ以下（以下、強シールともいう）である。これに対して１５ｍｍ幅における注出起点シール部２１のシール強度が５Ｎ以上２０Ｎ未満、好ましくは８Ｎ以上１２Ｎ以下（以下、弱シールともいう）である。この範囲内であれば、シール部２３が剥離されることを抑制し、注出起点シール部２１が剥離されやすくすることができるため、指による押圧のみによって注出起点部２１から液状物を注出しやすくすることができる。なお、１５ｍｍ幅におけるシール部２３と注出起点シール部２１のシール強度差が８Ｎ以上１２Ｎ以下であることが好ましい。
【００２６】
また、注出起点シール部２１の面積は、周状のシール部２０の面積の１５％以下であることが好ましく、３％以上１０％以下であることがより好ましい。
【００２７】
シール強度は、例えば、テンシロン引張試験機（株式会社オリエンテック製、ＲＴＣ−１３１０Ａ）を用いて測定することができる。以下、シール強度を測定する手順の一例について説明する。まず、蓋材３０とフランジ部１２とが接合された液状物収容容器サンプルを、１５ｍｍ幅にカットする。次に、テンシロンの一方のつかみ治具で蓋材３０の一部分を挟み、他方のつかみ治具でフランジ部１２を挟む。その後、引張速度３００ｍｍ／ｍｉｎで、蓋材３０とフランジ部１２とがなす角が１８０°になるように引っ張る。そして、計測された荷重の最大値を、シール強度とする。
【００２８】
上記のようなシール強度の強弱を形成する方法としては、蓋材３０のシーラント層表面のシール部２０における注出起点シール部２１に相当する位置のみに、いわゆる易剥離コート剤をパターン塗布することにより、注出起点シール部２１を弱シールとし、注出起点シール部２１以外のシール部２３を強シールとする方法が例示できる。易剥離コート剤としては、例えば、シリコーン樹脂とセルロース系樹脂とを主成分とし、酢酸エチルを溶剤として含むインキ（例えば、ＤＩＣ株式会社、ポリコートＰ−９１、固形分１０％）などを用いることができる。
【００２９】
また、別の方法として、ヒートシールを２段階で行う方法が例示できる。例えば、最初のヒートシールではシール部２０全体が弱シールとなるように低温でヒートシールし、２回目のヒートシールでは、注出起点シール部２１以外のシール部２３が強シールとなるように高温でヒートシールすることにより、注出起点シール部２１を弱シールとし、注出起点シール部２１以外のシール部２３を強シールとすることができる。
【００３０】
更に別の方法としては、図９に示すように、注出起点シール部２１ｄのシール幅ａを、注出起点シール部２１ｄ以外のシール部２３ｄのシール幅ｂよりも狭くすることにより、注出起点シール部２１ｄを弱シールとし、注出起点シール部２１以外のシール部２３ｄを強シールとしてもよい。
【００３１】
また、図１に示すように、注出起点シール部２１を内側に向かって突出した形状とした場合は、注出起点シール部２１のシール強度が、注出起点シール部２１以外のシール部２３のシール強度よりも小さくない場合であっても、指による押圧によって液状物収容容器内の圧力が上昇し、シール部２０のうち、注出起点シール部２１が先に剥離し易くすることができる。このため、指による押圧により、液状物収容容器内の液状物を注出することができる。よって、使用者は、片手の指のみであっても液状物を注出することができる。
【００３２】
［ガイドシール部］
シール部２０の平面視形状の一実施形態について、図５の蓋材３０方向からの平面視を用いて説明する。図５には、注出起点シール部２１以外のシール部２３の一端と他端に連設され、フランジ部１２の外縁に至る２本のガイドシール部２２が、フランジ部１２の切欠き２４を挟んで形成されている。
【００３３】
ガイドシール部とは、注出起点シール部２１以外のシール部２３に連設され、注出起点部２１から注出された液状物を液状物収容容器１の外部に誘導して注出可能とするシール部をいう。ガイドシール部は、注出起点部以外のシール部２３と同様に、容器本体１０と蓋材３０とを強固に接着する構造（強シール）とする。
【００３４】
ガイドシール部２２は本発明の液状物収容容器において必須ではないが、本発明の液状物収容容器にはガイドシール部が形成されていることが好ましい。指による押圧によって注出起点部２１の容器本体１０と蓋材３０とが剥離され、容器本体に収納された液状物が注出起点部から注出される。ここで、注出起点部２１に連設してガイドシール部２２が形成されているため、ガイドシール部２２によって、注出起点部から抽出された液状物が広がることなく外部に注出される。一方のガイドシール部２２と他方のガイドシール部２２は、フランジ部１２の外縁に向かうにつれて近づくように形成される部分を含んでいてもよい。
【００３５】
［シール部の他の実施形態］
シール部の形状の他の実施形態である変形例について、図６からの図８を用いて説明する。
【００３６】
図６に示すように、周状のシール部２０ａが楕円状のシール部であって、長軸上の一端側に注出起点シール部２１ａが形成されていてもよい。
【００３７】
また、図７に示すように、注出起点シール部２１ｂが、フランジ部の外縁に向かって突出するように形成されていてもよい。
【００３８】
また、図８に示すように、周状のシール部２０ｃが三角状のシール部であって、一つの頂点の付近に注出起点シール部２１ｃが形成された構成であってもよい。
【００３９】
このような態様は、いずれも、容器本体１０及び蓋材３０の指による押圧の際に、注出起点シール部２１への内圧が集中し易い構成となっており、これによって、容器本体に収納された液状物が選択的に注出起点部から注出され易くなる構成であるので好ましい。もちろん、上記のようにガイドシール部２２が併設して形成されていてもよい。また、図６〜８における容器本体の壁部は、液状物収容容器１の平面視において、周状のシール部の相似形とすることができる。
【００４０】
［注出位置表示部］
本発明においては、使用者が液状物収容容器１の平面視における注出起点部２１の位置、すなわち注出方向を確かに認識できるように、注出位置表示部が形成されていることが好ましい。つまり、本発明においては、従来のポーション容器などとは異なり、指で蓋材を剥がすことなく、使用者が指による押圧によってフランジ部１２と蓋材３０との間に隙間を形成し、液状物を注出できる構成となっている。このため、注出起点部２１の位置を間違えると誤った方向から内容物が飛び出してしまう。注出位置表示部を形成することで、この注出位置の誤認を防止することができる。
【００４１】
注出位置表示部としては、液状物収容容器１の平面視における注出起点部２１の位置を特定できる手段であれば特に限定されない。例えば、印刷等による表示でもよく、具体例には、蓋材３０において注出起点部２１付近に開封箇所と方向を示す矢印が表示されていてもよいし、文字情報、例えば「ここから注出できます」などの表示がされていてもよいし、注出起点部２１を色や図形で識別してもよい。
【００４２】
また、図１に示すように、フランジ１２に形成されている切欠き２４も、視覚的に注出位置表示部を誘導できる機能があるので好ましい。
【００４３】
さらに、上記のように、容器本体の胴部１５などに、胴部１５側からの指押圧を補助するための凸部又は／及び凹部で構成される押圧補助部も注出位置表示部となる。この場合、使用者は、押圧補助部を視認し、両側壁の押圧補助部から指による押圧を加えることになるので、結果として、略平行な両側壁に挟まれた一方の先端側に注出起点部２１、すなわち注出方向が存在することを間接的に確認することができるようになる。
【００４４】
さらにまた、図６から８に示すような注出起点シール部２１も、それ自体が注出位置表示部を構成するので、注出位置表示部の一例となる。
【００４５】
以上説明したように本発明の液状物収容容器は、指による押圧によってシール部の注出起点部が剥離されて液状物を注出することができる液状物収容容器である。よって、使用者は、片手の指のみであっても液状物を注出することができる。
【符号の説明】
【００４６】
１      液状物収容容器
１０    容器本体
１１    開口部
１２    フランジ部
１３    壁部
１４    底部
１５    胴部
２０，２０ａ，２０ｂ，２０ｃ，２０ｄ    シール部
２１，２１ａ，２１ｂ，２１ｃ，２１ｄ    注出起点部（注出起点シール部）
２２    ガイドシール部
２３，２３ａ，２３ｂ，２３ｃ，２３ｄ    注出起点部シール部以外のシール部
２４，２４ａ，２４ｂ，２４ｃ，２４ｄ    切欠き
３０，３０ａ，３０ｂ，３０ｃ，３０ｄ  蓋材
ａ  注出起点シール部のシール幅
ｂ  注出起点シール部以外のシール部のシール幅
【図１】
2017065742.tif 000003
【図２】
2017065742.tif 000004
【図３】
2017065742.tif 000005
【図４】
2017065742.tif 000006
【図５】
2017065742.tif 000007
【図６】
2017065742.tif 000008
【図７】
2017065742.tif 000009
【図８】
2017065742.tif 000010
【図９】
2017065742.tif 000011